(57)【要約】【課題】２次元コードシンボルで印刷されたコンテンツ・データを利用許諾を受けた上で利用することができる利用許諾方法を提供する。【解決手段】２次元コードシンボルの作成装置２は、元のコンテンツ・データ１がファイル化されたコンテンツ・データ・ファイル１１から、一部分を切り分けたものを欠落データ（必須情報要素部１１ａ）とし、これを除いたものに、利用許諾アクセス用情報１２を付加することにより、分割ファイルを作成する。分割ファイルのデータを２次元コード化規則に従って符号化し、１または複数の２次元コードシンボル１３ａ，１３ｂ，１３ｃが印刷記録媒体３に印刷される。２次元コード化コンテンツ・データの利用許諾装置４は、課金登録が完了すれば、欠落データを２次元コード化コンテンツ・データの利用装置５にダウンロードする。【選択図】図１
2004246883.tif 000002
【特許請求の範囲】
【請求項１】
１または複数の２次元コードシンボルで印刷記録媒体に表示されたコンテンツ・データの利用を許諾する２次元コード化コンテンツ・データの利用許諾方法であって、
元の前記コンテンツ・データがファイル化されたデータから一部分を切り分けたものを欠落データとし、前記元のコンテンツ・データがファイル化されたデータから前記欠落データを除いたものに基づいて分割ファイルを作成する分割ファイル作成ステップと、
該分割ファイル作成ステップにより作成された分割ファイルのデータを２次元コード化規則に従って符号化する２次元コード化ステップと、
該２次元コード化ステップにより符号化された１または複数の２次元コードシンボルを前記印刷記録媒体に印刷する印刷ステップと、
該印刷ステップにより前記印刷記録媒体に印刷された１または複数の２次元コードシンボルを読み取る２次元コードシンボル読み取りステップと、
該２次元コードシンボル読み取りステップにより読み取られた１または複数の２次元コードシンボルを復号し、前記分割ファイルのデータを得る復号化ステップと、
通信回線を介して２次元コード化コンテンツ・データの利用許諾装置にアクセスし、該２次元コード化コンテンツ・データの利用許諾装置から、前記欠落データを取得する欠落データ取得ステップと、
該欠落データ取得ステップにより取得された欠落データ、および、前記復号化ステップにより得られた前記分割ファイルのデータに基づいて、前記元のコンテンツ・データがファイル化されたデータを復元することにより、前記元のコンテンツ・データを利用可能な状態にするコンテンツ・データ取得ステップ、
を有することを特徴とする２次元コード化コンテンツ・データの利用許諾方法。
【請求項２】
前記分割ファイル作成ステップは、前記元のコンテンツ・データがファイル化されたデータから前記欠落データを除いたものに、前記通信回線を介して前記２次元コード化コンテンツ・データの利用許諾装置にアクセスするためのデータを付加することにより、前記分割ファイルを作成する、
ことを特徴とする請求項１に記載の２次元コード化コンテンツ・データの利用許諾方法。
【請求項３】
前記欠落データは、前記元の２次元コード化コンテンツ・データの利用に必要な必須情報要素部を少なくとも含むものである、
ことを特徴とする請求項１または２に記載の２次元コード化コンテンツ・データの利用許諾方法。
【請求項４】
前記元のコンテンツ・データは、複数の物理的表現形態によって利用されるマルチメディア・コンテンツ・データであり、前記欠落データは、前記複数の物理的表現形態の一部によって利用されるコンテンツ・データである、
ことを特徴とする請求項１から３までのいずれか１項に記載の２次元コード化コンテンツ・データの利用許諾方法。
【請求項５】
１または複数の２次元コードシンボルで印刷記録媒体に表示されたコンテンツ・データの利用を許諾するために使用する、２次元コードシンボルを作成する２次元コードシンボルの作成装置であって、
元の前記コンテンツ・データがファイル化されたデータから一部分を切り分けたものを欠落データとし、前記元のコンテンツ・データがファイル化されたデータから前記欠落データを除いたものに基づいて分割ファイルを作成する分割ファイル作成手段と、
前記欠落データを格納する記憶手段と、
該分割ファイル作成手段により作成された分割ファイルのデータを２次元コード化規則に従って符号化する２次元コード化手段、
を有することを特徴とする２次元コードシンボルの作成装置。
【請求項６】
元のコンテンツ・データがファイル化されたデータから一部分を切り分けたものを欠落データとし、前記元のコンテンツ・データがファイル化されたデータから前記欠落データを除いたものに基づいて作成された分割ファイルのデータが２次元コード化規則に従って符号化された、１または複数の２次元コードシンボルが印刷されている印刷記録媒体を読み取る２次元コード化コンテンツ・データの利用装置であって、
前記印刷記録媒体に印刷された１または複数の２次元コードシンボルを読み取る２次元コードシンボル読み取り手段と、
該２次元コードシンボル読み取り手段により読み取られた１または複数の２次元コードシンボルを復号し、前記分割ファイルのデータを得る復号化手段と、
通信回線を介して２次元コード化コンテンツ・データの利用許諾装置にアクセスし、該２次元コード化コンテンツ・データの利用許諾装置から、前記欠落データを取得する欠落データ取得手段と、
該欠落データ取得手段により取得された欠落データ、および、前記復号化手段により得られた前記分割ファイルのデータに基づいて、前記元のコンテンツ・データがファイル化されたデータを復元することにより、前記元のコンテンツ・データを利用可能な状態にするコンテンツ・データ取得手段、
を有することを特徴とする２次元コード化コンテンツ・データの利用装置。
【請求項７】
元のコンテンツ・データがファイル化されたデータから一部分を切り分けたものを欠落データとし、前記元のコンテンツ・データがファイル化されたデータから前記欠落データを除いたものに基づいて作成された分割ファイルのデータが２次元コード化規則に従って符号化された、１または複数の２次元コードシンボルが印刷されている印刷記録媒体を読み取る２次元コード化コンテンツ・データの利用装置に対し、前記元の２次元コード化コンテンツ・データの利用を許諾する２次元コード化コンテンツ・データの利用許諾装置であって、
前記２次元コード化コンテンツ・データの利用装置のアクセスを受けて、該２次元コード化コンテンツ・データの利用装置に前記２次元コード化コンテンツ・データの利用を許諾したときは、前記欠落データを、前記２次元コード化コンテンツ・データの利用装置に提供する欠落データ提供手段、
を有することを特徴とする２次元コード化コンテンツ・データの利用許諾装置。
【請求項８】
元のコンテンツ・データがファイル化されたデータから一部分を切り分けたものを欠落データとし、前記元のコンテンツ・データがファイル化されたデータから前記欠落データを除いたものに基づいて作成された分割ファイルのデータが２次元コード化規則に従って符号化された、１または複数の２次元コードシンボルが印刷されている２次元コードシンボル印刷記録媒体であって、
該２次元コードシンボル印刷記録媒体に印刷された１または複数の２次元コードシンボルは、２次元コード化コンテンツ・データの利用装置によって読み取られ、復号化されて前記分割ファイルのデータを得るためのものであり、
２次元コード化コンテンツ・データの利用装置が通信回線を介して２次元コード化コンテンツ・データの利用許諾装置にアクセスすることにより、前記欠落データが取得され、取得された欠落データ、および、前記復号化されて得られた前記分割ファイルのデータに基づいて、前記元のコンテンツ・データがファイル化されたデータが復元されることにより、前記元のコンテンツ・データが利用可能な状態にされるものである、
ことを特徴とする２次元コードシンボル印刷記録媒体。
【請求項９】
前記分割ファイルは、前記元のコンテンツ・データがファイル化されたデータから前記欠落データを除いたものに、前記２次元コード化コンテンツ・データの利用装置が前記通信回線を介して前記２次元コード化コンテンツ・データの利用許諾装置にアクセスするためのデータが付加されたものである、
ことを特徴とする請求項８に記載の２次元コードシンボル印刷記録媒体。
【請求項１０】
前記欠落データは、前記元の２次元コード化コンテンツ・データの利用に必要な必須情報要素部を少なくとも含むものである、
ことを特徴とする請求項８または９に記載の２次元コードシンボル印刷記録媒体。
【請求項１１】
前記元のコンテンツ・データは、複数の物理的表現形態によって利用されるマルチメディア・コンテンツ・データであり、前記欠落データは、前記複数の物理的表現形態の一部によって利用されるコンテンツ・データである、
ことを特徴とする請求項８から１０までのいずれか１項に記載の２次元コードシンボル印刷記録媒体。
【請求項１２】
１または複数の２次元コードシンボルで印刷記録媒体に表示されたコンテンツ・データの利用を許諾するために使用する、２次元コードシンボルを作成する２次元コードシンボルの作成プログラムであって、
元のコンテンツ・データがファイル化されたデータから一部分を切り分けたものを欠落データとし、前記元のコンテンツ・データがファイル化されたデータから前記欠落データを除いたものに基づいて分割ファイルを作成する分割ファイル作成ステップと、
前記欠落データを格納する記憶ステップと、
該分割ファイル作成ステップにより作成された分割ファイルのデータを２次元コード化規則に従って符号化する２次元コード化ステップ、
をコンピュータに実行させることを特徴とする２次元コードシンボルの作成プログラム。
【請求項１３】
元のコンテンツ・データがファイル化されたデータから一部分を切り分けたものを欠落データとし、前記元のコンテンツ・データがファイル化されたデータから前記欠落データを除いたものに基づいて作成された分割ファイルのデータが２次元コード化規則に従って符号化された、１または複数の２次元コードシンボルが印刷されている印刷記録媒体を読み取る２次元コード化コンテンツ・データの利用プログラムであって、
前記印刷記録媒体に印刷された１または複数の２次元コードシンボルを読み取る２次元コードシンボル読み取りステップと、
該２次元コードシンボル読み取りステップにより読み取られた１または複数の２次元コードシンボルを復号し、前記分割ファイルのデータを得る復号化ステップと、
通信回線を介して２次元コード化コンテンツ・データの利用許諾装置にアクセスし、該２次元コード化コンテンツ・データの利用許諾装置から、前記欠落データを取得する欠落データ取得ステップと、
該欠落データ取得ステップにより取得された欠落データ、および、前記復号化ステップにより得られた前記分割ファイルのデータに基づいて、前記元のコンテンツ・データがファイル化されたデータを復元することにより、前記元のコンテンツ・データを利用可能な状態にするコンテンツ・データ取得ステップ、
をコンピュータに実行させることを特徴とする２次元コード化コンテンツ・データの利用プログラム。
【請求項１４】
１または複数の２次元コードシンボルで印刷記録媒体に表示されたコンテンツ・データの利用を許諾する２次元コード化コンテンツ・データの利用許諾方法であって、
元の前記コンテンツ・データがファイル化されたときのデータの一部分に相当するデータを欠落データとし、前記元のコンテンツ・データがファイル化されたときのデータから前記欠落データを除いたものに相当するデータに基づいて分割ファイルを作成する分割ファイル作成ステップと、
該分割ファイル作成ステップにより作成された分割ファイルのデータを２次元コード化規則に従って符号化する２次元コード化ステップと、
該２次元コード化ステップにより符号化された１または複数の２次元コードシンボルを前記印刷記録媒体に印刷する印刷ステップと、
該印刷ステップにより前記印刷記録媒体に印刷された１または複数の２次元コードシンボルを読み取る２次元コードシンボル読み取りステップと、
該２次元コードシンボル読み取りステップにより読み取られた１または複数の２次元コードシンボルを復号し、前記分割ファイルのデータを得る復号化ステップと、
通信回線を介して２次元コード化コンテンツ・データの利用許諾装置にアクセスし、該２次元コード化コンテンツ・データの利用許諾装置から、前記欠落データを取得する欠落データ取得ステップと、
該欠落データ取得ステップにより取得された欠落データ、および、前記復号化ステップにより得られた前記分割ファイルのデータに基づいて、前記元のコンテンツ・データがファイル化されたデータを得ることにより、前記元のコンテンツ・データを利用可能な状態にするコンテンツ・データ取得ステップ、
を有することを特徴とする２次元コード化コンテンツ・データの利用許諾方法。
【請求項１５】
１または複数の２次元コードシンボルで印刷記録媒体に表示されたコンテンツ・データの利用を許諾するために使用する、２次元コードシンボルを作成する２次元コードシンボルの作成装置であって、
元の前記コンテンツ・データがファイル化されたときのデータの一部分に相当するデータを欠落データとし、前記元のコンテンツ・データがファイル化されたときのデータから前記欠落データを除いたものに相当するデータに基づいて分割ファイルを作成する分割ファイル作成手段と、
前記欠落データを格納する記憶手段と、
該分割ファイル作成手段により作成された分割ファイルのデータを２次元コード化規則に従って符号化する２次元コード化手段、
を有することを特徴とする２次元コードシンボルの作成装置。
【請求項１６】
元のコンテンツ・データがファイル化されたときのデータの一部分に相当するデータを欠落データとし、前記元のコンテンツ・データがファイル化されたときのデータから前記欠落データを除いたものに相当するデータに基づいて作成された分割ファイルのデータが２次元コード化規則に従って符号化された、１または複数の２次元コードシンボルが印刷されている印刷記録媒体を読み取る２次元コード化コンテンツ・データの利用装置であって、
前記印刷記録媒体に印刷された１または複数の２次元コードシンボルを読み取る２次元コードシンボル読み取り手段と、
該２次元コードシンボル読み取り手段により読み取られた１または複数の２次元コードシンボルを復号し、前記分割ファイルのデータを得る復号化手段と、
通信回線を介して２次元コード化コンテンツ・データの利用許諾装置にアクセスし、該２次元コード化コンテンツ・データの利用許諾装置から、前記欠落データを取得する欠落データ取得手段と、
該欠落データ取得手段により取得された欠落データ、および、前記復号化手段により得られた前記分割ファイルのデータに基づいて、前記元のコンテンツ・データがファイル化されたデータを得ることにより、前記元のコンテンツ・データを利用可能な状態にするコンテンツ・データ取得手段、
を有することを特徴とする２次元コード化コンテンツ・データの利用装置。
【請求項１７】
元のコンテンツ・データがファイル化されたときのデータの一部分に相当するデータを欠落データとし、前記元のコンテンツ・データがファイル化されたときのデータから前記欠落データを除いたものに相当するデータに基づいて作成された分割ファイルのデータが２次元コード化規則に従って符号化された、１または複数の２次元コードシンボルが印刷されている印刷記録媒体を読み取る２次元コード化コンテンツ・データの利用装置に対し、前記元の２次元コード化コンテンツ・データの利用を許諾する２次元コード化コンテンツ・データの利用許諾装置であって、
前記２次元コード化コンテンツ・データの利用装置のアクセスを受けて、該２次元コード化コンテンツ・データの利用装置に前記２次元コード化コンテンツ・データの利用を許諾したときは、前記欠落データを、前記２次元コード化コンテンツ・データの利用装置に提供する欠落データ提供手段、
を有することを特徴とする２次元コード化コンテンツ・データの利用許諾装置。
【請求項１８】
元のコンテンツ・データがファイル化されたときのデータの一部分に相当するデータを欠落データとし、前記元のコンテンツ・データがファイル化されたときのデータから前記欠落データを除いたものに相当するデータに基づいて作成された分割ファイルのデータが２次元コード化規則に従って符号化された、１または複数の２次元コードシンボルが印刷されている２次元コードシンボル印刷記録媒体であって、
該２次元コードシンボル印刷記録媒体に印刷された１または複数の２次元コードシンボルは、２次元コード化コンテンツ・データの利用装置によって読み取られ、復号化されて前記分割ファイルのデータを得るためのものであり、
２次元コード化コンテンツ・データの利用装置が通信回線を介して２次元コード化コンテンツ・データの利用許諾装置にアクセスすることにより、前記欠落データが取得され、取得された欠落データ、および、前記復号化されて得られた前記分割ファイルのデータに基づいて、前記元のコンテンツ・データがファイル化されたデータを得ることにより、前記元のコンテンツ・データが利用可能な状態にされるものである、
ことを特徴とする２次元コードシンボル印刷記録媒体。
【発明の詳細な説明】
【技術分野】
【０００１】
本発明は、通信回線を介して、２次元コードシンボルで表現された２次元コード化コンテンツ・データの利用許諾を得る、２次元コード化コンテンツ・データの利用許諾方法、２次元コードシンボルの作成装置、２次元コード化コンテンツ・データの利用装置、２次元コード化コンテンツ・データの利用許諾装置、２次元コードシンボル印刷記録媒体、２次元コードシンボルの作成プログラム、および、２次元コード化コンテンツ・データの利用プログラムに関するものである。
【背景技術】
【０００２】
携帯電話ネットワークの移動機において、情報提供センタ等のサーバにアクセスし、所望のコンテンツをダウンロードして利用することが行われている（例えば、特許文献１参照）。
図４は、携帯電話ネットワークを用いた従来のコンテンツ配信システムの一例を説明するためのブロック構成図である。
図中、４１は移動機（MS：Mobile Station）、４２は基地局（BS：Base Station）、４３は交換機（MSC：Mobile Switching Center）、４４は情報提供センタ（AMP：Advanced Massaging Platform）、４５は登録ユーザ・データベース、４６はコンテンツ・データベース、４７はインターネット、４８は情報提供者（Information Provider/Service Provider）サーバである。メール転送およびメール取得に関連した構成については省略した。
【０００３】
移動機（MS）４１は基地局（BS）４２および交換機（MSC）４３を介して情報提供センタ（AMP）４４に接続される。情報提供センタ（AMP）４４の登録ユーザ・データベース４５には、移動機（MS）４１を所有するユーザのデータ・サービス関連の利用者情報が格納されている。情報提供センタ（AMP）４４は、また、コンテンツ・データベース４５に接続されている。コンテンツ・データベース４５は携帯電話事業者、あるいは、コンテンツ提供事業者が提供したりする。情報提供センタ（AMP）４４は、また、図示しないウエブ・ゲートウェイ・プラットフォーム（WGP：Web Gateway Platform）とプロキシサーバを介してインターネット４７に接続される。インターネット４７上には情報提供者サーバ４８がある。
【０００４】
移動機（MS）４１側のユーザは、コンテンツ・データベース４５や情報提供者サーバ４８のコンテンツ・データベースにアクセスして、コンテンツ・データをダウンロードすることができる。コンテンツ・データとしては、テキストデータ、静止画データ、動画データ、音楽データ等、あるいは、これらを組み合わせたデータがある。
コンテンツ・データベース４５のコンテンツ・データが有料である場合は、情報提供センタ（AMP）４４において、登録ユーザ・データベース４５に格納された利用者情報を用いて、上述したコンテンツ・データの利用に対する課金登録（課金処理）を行う。情報提供者サーバ４８のコンテンツ・データが有料である場合は、情報提供者サーバ４８あるいは、図示しない課金サーバとの間で課金登録（課金処理）を行う。
【０００５】
上述した、携帯電話ネットワークを介してコンテンツ・データを移動機（MS）４１に配信するシステムでは、コンテンツ・データのデータ量が大きくなると、ダウンロードに要する時間が長くなるため、通信料金が高くなり、ユーザに負担をかけるという問題がある。また、ダウンロード中の電波状態あるいは移動機（MS）４１の位置等によっては、大量のコンテンツ・データを誤りなく取得することがむずかしい場合もあり得る。
【０００６】
これに対し、最近は、CCD（Charge Coupled Device）デジタル・カメラを内蔵する移動機（MS）４１が普及してきている。このデジタル・カメラは、単に写真を撮るだけではなく、紙に印刷された２次元コードシンボル、例えば、QR（Quick Response）コード（QRコードは、株式会社デンソーウエーブの登録商標）を読み取ることができる（例えば、特許文献２参照）。QRコード（TM）は、２次元コードシンボルの一種であり、JIS X 0510，ISO/IEC18004として規格化されている。大容量のデータを扱えるだけでなく、バイナリ（８ビット）データを扱えることから、任意の物理的表現形態（メディア）によるコンテンツ・データを、可視的なシンボルに変換して印刷することができる。
【０００７】
図５は、移動機（MS）４１のハードウエア構成の一例を説明するためのブロック構成図である。
図中、５１はアンテナ、５２は無線送受信部、５３は音声信号処理部、５４はスピーカ、５５はマイクロフォン、５６は制御部、５７は液晶（LCD）等の表示部、５８はデジタル・カメラ部、５９はキー入力部、６０はメモリ（ROM/RAM：Read Only Memory/Random Access Memory）、６１は外部インターフェースである。
基地局（BS）４２からの受信信号は、アンテナ５１で受信され、無線送受信部５２で中間周波数帯に変換されて復調され、通話中の音声信号については音声信号処理部５３に出力されてアナログ変換され、スピーカ５４から出力される。一方、マイクロフォン５５から入力された通話中の音声信号は、音声信号処理部５３においてデジタル変換されて無線送受信部５２に出力され、変調されて高周波帯に変換され、電力増幅されてアンテナ５１から基地局４２に送信される。
【０００８】
無線送受信部５２および音声信号処理部５３は、制御部５６に接続されている。制御部５６は、無線送受信部５２および音声信号処理部５３を制御するとともに、デジタル・データの送受信制御を行う。制御部５６は、CPU（Central Processing Unit）を含み、表示部５７、デジタル・カメラ部５８、キー入力部５９、メモリ（ROM/RAM）６０、外部インターフェース６１に接続されてこれらを制御する。
受信されたコンテンツ・データは、表示部５７に表示されたり、スピーカ５４から出力されたりするとともに、メモリ（ROM/RAM）６０に格納されたり、外部インターフェース６１を介して、パーソナルコンピュータに転送されたりする。また、デジタル・カメラ部５８で撮影された画像のデータは、メモリ（ROM/RAM）６０に格納されたり、メールに添付されて図示しないメールサーバのメールボックスに転送されたり、外部インターフェース６１を介して、パーソナルコンピュータに転送されたりする。
【０００９】
上述した２次元コードシンボルは、カタログや書籍などの紙に印刷されてユーザに頒布される。移動機（MS）４１のユーザは、デジタル・カメラ部５８をスキャナとして用いることにより、２次元コードシンボルを取り込んで、コンテンツ・データを利用することができる。
しかし、２次元コード化されたコンテンツ・データを読み取ることさえできれば、著作権保護されたコンテンツ・データであっても、著作権料を支払うことなく、無制限に移動機（MS）４１に取り込まれてしまう。
このように、紙に２次元コードシンボルを用いて印刷されたコンテンツ・データの読み取りシステムは、課金を行えるシステムとはなっていないので、著作権フリーのコンテンツしか取り扱えなかった。そのため、移動機（MS）４１において、２次元コードシンボルを著作権保護がなされたコンテンツ・データの提供手段として普及させることが難しかった。
【００１０】
コンテンツ・データを暗号化して２次元コード化しておき、課金登録と引き替えに鍵を提供すれば著作権保護ができる。しかし、移動機(MS)において復号化処理プログラムの実行が必要となることから、移動機（MS）４１に復号化処理プログラムを格納するためのメモリ領域を必要とするとともに、暗号の復号化のために移動機（MS）４１の電力消費量が増して、電池持続時間の減少を招くという問題があった。
【００１１】
【特許文献１】特開２０００−１５２３２７号公報
【特許文献２】特開２００２−８２８５５号公報
【発明の開示】
【発明が解決しようとする課題】
【００１２】
本発明は、上述した問題点を解決するためになされたもので、簡単な処理を行うだけで、２次元コード化コンテンツ・データの利用許諾装置にアクセスして利用許諾を得た上で、２次元コードシンボルで表示されたコンテンツ・データを利用できるようにした、２次元コード化コンテンツ・データの利用許諾システム、および、この利用許諾システムに用いられる、２次元コードシンボルの作成装置、２次元コード化コンテンツ・データの利用装置、２次元コード化コンテンツ・データの利用許諾装置、２次元コードシンボル印刷記録媒体、２次元コードシンボルの作成プログラム、および、２次元コード化コンテンツ・データの利用プログラムを提供することを目的とするものである。
【課題を解決するための手段】
【００１３】
本発明は、請求項１に記載の発明においては、１または複数の２次元コードシンボルで印刷記録媒体に表示されたコンテンツ・データの利用を許諾する２次元コード化コンテンツ・データの利用許諾方法であって、元の前記コンテンツ・データがファイル化されたデータから一部分を切り分けたものを欠落データとし、前記元のコンテンツ・データがファイル化されたデータから前記欠落データを除いたものに基づいて分割ファイルを作成する分割ファイル作成ステップと、該分割ファイル作成ステップにより作成された分割ファイルのデータを２次元コード化規則に従って符号化する２次元コード化ステップと、該２次元コード化ステップにより符号化された１または複数の２次元コードシンボルを前記印刷記録媒体に印刷する印刷ステップと、該印刷ステップにより前記印刷記録媒体に印刷された１または複数の２次元コードシンボルを読み取る２次元コードシンボル読み取りステップと、該２次元コードシンボル読み取りステップにより読み取られた１または複数の２次元コードシンボルを復号し、前記分割ファイルのデータを得る復号化ステップと、通信回線を介して２次元コード化コンテンツ・データの利用許諾装置にアクセスし、該２次元コード化コンテンツ・データの利用許諾装置から、前記欠落データを取得する欠落データ取得ステップと、該欠落データ取得ステップにより取得された欠落データ、および、前記復号化ステップにより得られた前記分割ファイルのデータに基づいて、前記元のコンテンツ・データがファイル化されたデータを復元することにより、前記元のコンテンツ・データを利用可能な状態にするコンテンツ・データ取得ステップを有するものである。
従って、元のコンテンツ・データがファイル化されたデータから、予め、一部分を切り分けたものを欠落データとして、この欠落データを除いたものに基づいて２次元コード化するという簡単な処理を行うだけで、２次元コード化コンテンツ・データの利用許諾装置にアクセスして利用許諾を得た上で、２次元コードシンボルで表示されたコンテンツ・データを利用できるようになる。
【００１４】
請求項２に記載の発明においては、請求項１に記載の２次元コード化コンテンツ・データの利用許諾方法において、前記分割ファイル作成ステップは、前記元のコンテンツ・データがファイル化されたデータから前記欠落データを除いたものに、前記通信回線を介して前記２次元コード化コンテンツ・データの利用許諾装置にアクセスするためのデータを付加することにより、前記分割ファイルを作成するものである。
従って、２次元コード化コンテンツ・データの利用装置から２次元コード化コンテンツ・データの利用許諾装置にアクセスすることが容易になる。
【００１５】
請求項３に記載の発明においては、請求項１または２に記載の２次元コード化コンテンツ・データの利用許諾方法において、前記欠落データは、前記元の２次元コード化コンテンツ・データの利用に必要な必須情報要素部を少なくとも含むものである。
必須情報要素部が得られないと、元のコンテンツ・データを利用することが困難であることから、コンテンツ・データが無断利用から保護する能力が高くなる。
【００１６】
請求項４に記載の発明においては、請求項１から３までのいずれか１項に記載の２次元コード化コンテンツ・データの利用許諾方法において、前記元のコンテンツ・データは、複数の物理的表現形態によって利用されるマルチメディア・コンテンツ・データであり、前記欠落データは、前記複数の物理的表現形態の一部によって利用されるコンテンツ・データである。
従って、許諾を要する物理的表現形態による利用と許諾を要しない物理的表現形態による利用とを混在させることができる。利用者は、許諾を要しない物理的表現形態によりコンテンツ・データを利用することにより、許諾を要する物理的表現形態による利用の許諾を求めるか否かの参考にすることができる。
【００１７】
請求項５に記載の発明においては、１または複数の２次元コードシンボルで印刷記録媒体に表示されたコンテンツ・データの利用を許諾するために使用する２次元コード化シンボルを作成する、２次元コードシンボルの作成装置であって、元の前記コンテンツ・データがファイル化されたデータから一部分を切り分けたものを欠落データとし、前記元のコンテンツ・データがファイル化されたデータから前記欠落データを除いたものに基づいて分割ファイルを作成する分割ファイル作成手段と、前記欠落データを格納する記憶手段と、該分割ファイル作成手段により作成された分割ファイルのデータを２次元コード化規則に従って符号化する２次元コード化手段を有するものである。
従って、請求項１に記載された２次元コード化コンテンツ・データの利用許諾方法を実現するための、２次元コードシンボルの作成装置が得られる。
【００１８】
請求項６に記載の発明においては、元のコンテンツ・データがファイル化されたデータから一部分を切り分けたものを欠落データとし、前記元のコンテンツ・データがファイル化されたデータから前記欠落データを除いたものに基づいて作成された分割ファイルのデータが２次元コード化規則に従って符号化された、１または複数の２次元コードシンボルが印刷されている印刷記録媒体を読み取る２次元コード化コンテンツ・データの利用装置であって、前記印刷記録媒体に印刷された１または複数の２次元コードシンボルを読み取る２次元コードシンボル読み取り手段と、該２次元コードシンボル読み取り手段により読み取られた１または複数の２次元コードシンボルを復号し、前記分割ファイルのデータを得る復号化手段と、通信回線を介して２次元コード化コンテンツ・データの利用許諾装置にアクセスし、該２次元コード化コンテンツ・データの利用許諾装置から、前記欠落データを取得する欠落データ取得手段と、該欠落データ取得手段により取得された欠落データ、および、前記復号化手段により得られた前記分割ファイルのデータに基づいて、前記元のコンテンツ・データがファイル化されたデータを復元することにより、前記元のコンテンツ・データを利用可能な状態にするコンテンツ・データ取得手段を有するものである。
従って、請求項１に記載された２次元コード化コンテンツ・データの利用許諾方法を実現するための、２次元コード化コンテンツ・データの利用装置が得られる。
【００１９】
請求項７に記載の発明においては、元のコンテンツ・データがファイル化されたデータから一部分を切り分けたものを欠落データとし、前記元のコンテンツ・データがファイル化されたデータから前記欠落データを除いたものに基づいて作成された分割ファイルのデータが２次元コード化規則に従って符号化された、１または複数の２次元コードシンボルが印刷されている印刷記録媒体を読み取る２次元コード化コンテンツ・データの利用装置に対し、前記元の２次元コード化コンテンツ・データの利用を許諾する２次元コード化コンテンツ・データの利用許諾装置であって、前記２次元コード化コンテンツ・データの利用装置のアクセスを受けて、該２次元コード化コンテンツ・データの利用装置に前記２次元コード化コンテンツ・データの利用を許諾したときは、前記欠落データを、前記２次元コード化コンテンツ・データの利用装置に提供する欠落データ提供手段を有するものである。
従って、請求項１に記載された２次元コード化コンテンツ・データの利用許諾方法を実現するための、２次元コード化コンテンツ・データの利用許諾装置が得られる。
【００２０】
請求項８に記載の発明においては、元のコンテンツ・データがファイル化されたデータから一部分を切り分けたものを欠落データとし、前記元のコンテンツ・データがファイル化されたデータから前記欠落データを除いたものに基づいて作成された分割ファイルのデータが２次元コード化規則に従って符号化された、１または複数の２次元コードシンボルが印刷されている２次元コードシンボル印刷記録媒体であって、該２次元コードシンボル印刷記録媒体に印刷された１または複数の２次元コードシンボルは、２次元コード化コンテンツ・データの利用装置によって読み取られ、復号化されて前記分割ファイルのデータを得るためのものであり、２次元コード化コンテンツ・データの利用装置が通信回線を介して２次元コード化コンテンツ・データの利用許諾装置にアクセスすることにより、前記欠落データが取得され、取得された欠落データ、および、前記復号化されて得られた前記分割ファイルのデータに基づいて、前記元のコンテンツ・データがファイル化されたデータが復元されることにより、前記元のコンテンツ・データが利用可能な状態にされるものである。
従って、請求項１に記載された２次元コード化コンテンツ・データの利用許諾方法を実現するための、２次元コードシンボル印刷記録媒体が得られる。
【００２１】
請求項９に記載の発明においては、請求項８に記載の２次元コードシンボル印刷記録媒体において、前記分割ファイルは、前記元のコンテンツ・データがファイル化されたデータから前記欠落データを除いたものに、前記２次元コード化コンテンツ・データの利用装置が前記通信回線を介して前記２次元コード化コンテンツ・データの利用許諾装置にアクセスするためのデータが付加されたものである。
従って、請求項２に記載された２次元コード化コンテンツ・データの利用許諾方法を実現するための、２次元コードシンボル印刷記録媒体が得られる。
【００２２】
請求項１０に記載の発明においては、請求項８または９に記載の２次元コードシンボル印刷記録媒体において、前記欠落データは、前記元の２次元コード化コンテンツ・データの利用に必要な必須情報要素部を少なくとも含むものである。
従って、請求項３に記載された２次元コード化コンテンツ・データの利用許諾方法を実現するための、２次元コードシンボル印刷記録媒体が得られる。
【００２３】
請求項１１に記載の発明においては、請求項８から１０までのいずれか１項に記載の２次元コードシンボル印刷記録媒体において、前記元のコンテンツ・データは、複数の物理的表現形態によって利用されるマルチメディア・コンテンツ・データであり、前記欠落データは、前記複数の物理的表現形態の一部によって利用されるコンテンツ・データである。
従って、請求項４に記載された２次元コード化コンテンツ・データの利用許諾方法を実現するための、２次元コードシンボル印刷記録媒体が得られる。
【００２４】
請求項１２に記載の発明においては、１または複数の２次元コードシンボルで印刷記録媒体に表示されたコンテンツ・データの利用を許諾するために使用する、２次元コードシンボルを作成する２次元コードシンボルの作成プログラムであって、元のコンテンツ・データがファイル化されたデータから一部分を切り分けたものを欠落データとし、前記元のコンテンツ・データがファイル化されたデータから前記欠落データを除いたものに基づいて分割ファイルを作成する分割ファイル作成ステップと、前記欠落データを格納する記憶ステップと、該分割ファイル作成ステップにより作成された分割ファイルのデータを２次元コード化規則に従って符号化する２次元コード化ステップ、をコンピュータに実行させるものである。
従って、コンピュータを用いて請求項５に記載の２次元コードシンボルの作成装置を実現することができる。
【００２５】
請求項１３に記載の発明においては、元のコンテンツ・データがファイル化されたデータから一部分を切り分けたものを欠落データとし、前記元のコンテンツ・データがファイル化されたデータから前記欠落データを除いたものに基づいて作成された分割ファイルのデータが２次元コード化規則に従って符号化された、１または複数の２次元コードシンボルが印刷されている印刷記録媒体を読み取る２次元コード化コンテンツ・データの利用プログラムであって、前記印刷記録媒体に印刷された１または複数の２次元コードシンボルを読み取る２次元コードシンボル読み取りステップと、該２次元コードシンボル読み取りステップにより読み取られた１または複数の２次元コードシンボルを復号し、前記分割ファイルのデータを得る復号化ステップと、通信回線を介して２次元コード化コンテンツ・データの利用許諾装置にアクセスし、該２次元コード化コンテンツ・データの利用許諾装置から、前記欠落データを取得する欠落データ取得ステップと、該欠落データ取得ステップにより取得された欠落データ、および、前記復号化ステップにより得られた前記分割ファイルのデータに基づいて、前記元のコンテンツ・データがファイル化されたデータを復元することにより、前記元のコンテンツ・データを利用可能な状態にするコンテンツ・データ取得ステップをコンピュータに実行させるものである。
従って、コンピュータを用いて請求項６に記載の２次元コード化コンテンツ・データの利用装置を実現することができる。
【００２６】
請求項１４に記載の発明においては、１または複数の２次元コードシンボルで印刷記録媒体に表示されたコンテンツ・データの利用を許諾する２次元コード化コンテンツ・データの利用許諾方法であって、元の前記コンテンツ・データがファイル化されたときのデータの一部分に相当するデータを欠落データとし、前記元のコンテンツ・データがファイル化されたときのデータから前記欠落データを除いたものに相当するデータに基づいて分割ファイルを作成する分割ファイル作成ステップと、該分割ファイル作成ステップにより作成された分割ファイルのデータを２次元コード化規則に従って符号化する２次元コード化ステップと、該２次元コード化ステップにより符号化された１または複数の２次元コードシンボルを前記印刷記録媒体に印刷する印刷ステップと、該印刷ステップにより前記印刷記録媒体に印刷された１または複数の２次元コードシンボルを読み取る２次元コードシンボル読み取りステップと、該２次元コードシンボル読み取りステップにより読み取られた１または複数の２次元コードシンボルを復号し、前記分割ファイルのデータを得る復号化ステップと、通信回線を介して２次元コード化コンテンツ・データの利用許諾装置にアクセスし、該２次元コード化コンテンツ・データの利用許諾装置から、前記欠落データを取得する欠落データ取得ステップと、該欠落データ取得ステップにより取得された欠落データ、および、前記復号化ステップにより得られた前記分割ファイルのデータに基づいて、前記元のコンテンツ・データがファイル化されたデータを得ることにより、前記元のコンテンツ・データを利用可能な状態にするコンテンツ・データ取得ステップ、を有するものである。
従って、元のコンテンツ・データがファイル化されたときのデータの一部分に相当するデータを欠落データとして、この欠落データを除いたものに基づいて２次元コード化するという簡単な処理を行うだけで、２次元コード化コンテンツ・データの利用許諾装置にアクセスして利用許諾を得た上で、２次元コードシンボルで表示されたコンテンツ・データを利用できるようになる。
元のコンテンツ・データがファイル化されたデータは、必ずしも作成する必要がなく、元のコンテンツ・データがファイル化されたデータを得ることができる。
【００２７】
なお、上述した請求項１に記載の発明に対して請求項２，３，４で構成を限定したのと同様に、請求項１４に記載の発明に対しても、次の（１）〜（３）の限定構成を１つまたは複数、組み合わせて作用効果のある限定をすることができる。
（１）前記分割ファイル作成ステップは、前記元のコンテンツ・データがファイル化されたとしたときのデータから前記欠落データを除いたものに、前記通信回線を介して前記２次元コード化コンテンツ・データの利用許諾装置にアクセスするためのデータを付加することにより、前記分割ファイルを作成するものである。
（２）前記欠落データは、前記元の２次元コード化コンテンツ・データの利用に必要な必須情報要素部を少なくとも含むものである。
（３）前記元のコンテンツ・データは、複数の物理的表現形態によって利用されるマルチメディア・コンテンツ・データであり、前記欠落データは、前記複数の物理的表現形態の一部によって利用されるコンテンツ・データである。
【００２８】
請求項１５に記載の発明においては、１または複数の２次元コードシンボルで印刷記録媒体に表示されたコンテンツ・データの利用を許諾するために使用する、２次元コードシンボルを作成する２次元コードシンボルの作成装置であって、元の前記コンテンツ・データがファイル化されたときのデータの一部分に相当するデータを欠落データとし、前記元のコンテンツ・データがファイル化されたときのデータから前記欠落データを除いたものに相当するデータに基づいて分割ファイルを作成する分割ファイル作成手段と、前記欠落データを格納する記憶手段と、該分割ファイル作成手段により作成された分割ファイルのデータを２次元コード化規則に従って符号化する２次元コード化手段、を有するものである。
従って、請求項１４に記載された２次元コード化コンテンツ・データの利用許諾方法を実現するための、２次元コードシンボルの作成装置が得られる。
【００２９】
請求項１６に記載の発明においては、元のコンテンツ・データがファイル化されたときのデータの一部分に相当するデータを欠落データとし、前記元のコンテンツ・データがファイル化されたときのデータから前記欠落データを除いたものに相当するデータに基づいて作成された分割ファイルのデータが２次元コード化規則に従って符号化された、１または複数の２次元コードシンボルが印刷されている印刷記録媒体を読み取る２次元コード化コンテンツ・データの利用装置であって、前記印刷記録媒体に印刷された１または複数の２次元コードシンボルを読み取る２次元コードシンボル読み取り手段と、該２次元コードシンボル読み取り手段により読み取られた１または複数の２次元コードシンボルを復号し、前記分割ファイルのデータを得る復号化手段と、通信回線を介して２次元コード化コンテンツ・データの利用許諾装置にアクセスし、該２次元コード化コンテンツ・データの利用許諾装置から、前記欠落データを取得する欠落データ取得手段と、該欠落データ取得手段により取得された欠落データ、および、前記復号化手段により得られた前記分割ファイルのデータに基づいて、前記元のコンテンツ・データがファイル化されたデータを得ることにより、前記元のコンテンツ・データを利用可能な状態にするコンテンツ・データ取得手段、を有するものである。
従って、請求項１４に記載された２次元コード化コンテンツ・データの利用許諾方法を実現するための、２次元コード化コンテンツ・データの利用装置が得られる。
【００３０】
請求項１７に記載の発明においては、元のコンテンツ・データがファイル化されたときのデータの一部分に相当するデータを欠落データとし、前記元のコンテンツ・データがファイル化されたときのデータから前記欠落データを除いたものに相当するデータに基づいて作成された分割ファイルのデータが２次元コード化規則に従って符号化された、１または複数の２次元コードシンボルが印刷されている印刷記録媒体を読み取る２次元コード化コンテンツ・データの利用装置に対し、前記元の２次元コード化コンテンツ・データの利用を許諾する２次元コード化コンテンツ・データの利用許諾装置であって、前記２次元コード化コンテンツ・データの利用装置のアクセスを受けて、該２次元コード化コンテンツ・データの利用装置に前記２次元コード化コンテンツ・データの利用を許諾したときは、前記欠落データを、前記２次元コード化コンテンツ・データの利用装置に提供する欠落データ提供手段、を有するものである。
従って、請求項１４に記載された２次元コード化コンテンツ・データの利用許諾方法を実現するための、２次元コード化コンテンツ・データの利用許諾装置が得られる。
【００３１】
請求項１８に記載の発明においては、元のコンテンツ・データがファイル化されたときのデータの一部分に相当するデータを欠落データとし、前記元のコンテンツ・データがファイル化されたときのデータから前記欠落データを除いたものに相当するデータに基づいて作成された分割ファイルのデータが２次元コード化規則に従って符号化された、１または複数の２次元コードシンボルが印刷されている２次元コードシンボル印刷記録媒体であって、該２次元コードシンボル印刷記録媒体に印刷された１または複数の２次元コードシンボルは、２次元コード化コンテンツ・データの利用装置によって読み取られ、復号化されて前記分割ファイルのデータを得るためのものであり、２次元コード化コンテンツ・データの利用装置が通信回線を介して２次元コード化コンテンツ・データの利用許諾装置にアクセスすることにより、前記欠落データが取得され、取得された欠落データ、および、前記復号化されて得られた前記分割ファイルのデータに基づいて、前記元のコンテンツ・データがファイル化されたデータを得ることにより、前記元のコンテンツ・データが利用可能な状態にされるものである。
従って、請求項１４に記載された２次元コード化コンテンツ・データの利用許諾方法を実現するための、２次元コードシンボル印刷記録媒体が得られる。
【００３２】
なお、上述した請求項８に記載の発明に対して請求項９，１０，１１で構成を限定したのと同様に、請求項１８に記載の発明に対しても、次の（１）〜（３）の限定構成を１つ、または複数を組み合わせて作用効果のある限定をすることができる。
（１）前記分割ファイル作成ステップは、前記元のコンテンツ・データがファイル化されたとしたときのデータから前記欠落データを除いたものに、前記通信回線を介して前記２次元コード化コンテンツ・データの利用許諾装置にアクセスするためのデータを付加することにより、前記分割ファイルを作成するものである。
（２）前記欠落データは、前記元の２次元コード化コンテンツ・データの利用に必要な必須情報要素部を少なくとも含むものである。
（３）前記元のコンテンツ・データは、複数の物理的表現形態によって利用されるマルチメディア・コンテンツ・データであり、前記欠落データは、前記複数の物理的表現形態の一部によって利用されるコンテンツ・データである。
【発明の効果】
【００３３】
本発明によれば、コンテンツ・データを暗号化する場合に比べて、厳格な著作権保護はできないが、簡単な構成により２次元コードシンボルで表示されたコンテンツ・データの利用許諾ができるという効果がある。
また、２次元コードシンボルは、印刷記録媒体に印刷されて配布されるものであるから、通信回線を介してコンテンツ・データをダウンロードする場合に比べて、通信コストをほとんどかけずに、コンテンツ・データを取得できるという効果がある。
著作権を有するコンテンツなど、ユーザ認証およびまたは課金登録を必要とする２次元コード化コンテンツ・データの利用許諾方法に適している。
【発明を実施するための最良の形態】
【００３４】
（実施の形態１）
図１は、本発明の実施の形態１を実現する２次元コード化コンテンツ・データの利用許諾システムの全体構成図である。
図中、１は待受け画像や着信メロディ等のコンテンツ・データ、２は２次元コードシンボルの作成装置である。３は印刷記録媒体であり、２次元コードシンボルの作成装置２により作成された、１または複数の２次元コードシンボル１３ａ，１３ｂ，１３ｃ，…が印刷記録されている。
印刷記録媒体３は、紙，プラスチックフィルム，ガラス，金属など、２次元コードシンボルを印刷できるものであれば何でもよい。また、１枚のシートである必要はなく、カタログなどのパンフレット、新聞、あるいは、雑誌など製本されたものでもよい。印刷は、版を用いる印刷に限らない。レーザ・プリンタやインクジェット・プリンタのように、データを直接入力して印刷するものでもよい。
２次元コード化の方法としては、従来、各種の方法が知られているが、以下には、従来技術の項で既に説明したQRコード（TM）について例示する。
【００３５】
４は２次元コード化コンテンツ・データの利用許諾装置であって、例えば、図４に示した情報提供センタ(AMP)４４あるいは情報提供者サーバ４８である。
５は２次元コード化コンテンツ・データの利用装置であって、例えば、図４，図５に示したデジタル・カメラ付きの移動機（MC）４１である。６は通信回線であって、例えば、図４に示した移動機(MS)４１から、基地局（BS）４２、交換機（MSC）４３を介して情報提供センタ(AMP)４４まで、あるいは、さらに、インターネット４７上の情報提供者サーバ４８までの通信回線である。
【００３６】
上述した２次元コードシンボルの作成装置２において、コンテンツ・データ１が入力され、所定の規格仕様に従ったコンテンツ・データ・ファイル１１としてファイル化される。なお、既にコンテンツ・データ・ファイル１１が作成されていて、これを単に読み込む場合もある。
コンテンツの物理的表現形態が静止画像である場合は、被写体の画像をデジタル・カメラあるいはスキャナで取り込むことにより、コンテンツ・データ１が得られる。
コンテンツの物理的表現形態が演奏である場合には、鍵盤等の演奏入力装置を用いてコンテンツ・データ１（例えば、MIDI（Musical Instrument Digital Interface）規格に従うデータ）が得られる。
コンテンツの物理的表現形態が音声や音楽の波形である場合には、マイクロフォンを用いてコンテンツ・データ１が得られる。
これらのコンテンツ・データ１は、一旦、記憶装置に格納されてから読み出されて、２次元コードシンボルの作成装置２に入力される場合もある。
【００３７】
コンテンツ・データ・ファイル１１は、ファイル構造の標準モデルを示しており、必須情報要素部１１ａ、データ部１１ｂ、残余部（その他の部分）１１ｃがある。
データ部１１ｂには、コンテンツ・データ１の情報内容に直接的に対応する、例えば圧縮されたデータが格納される。
必須情報要素部１１ａには、コンテンツ・データ１の情報内容に直接的に対応するデータは含まないが、コンテンツ・データ１を利用するために必要なデータが格納される。この必須情報要素部１１ａは、一般的には、「ヘッダ部」と呼ばれる部分に対応する。この必須情報要素部１１ａには、図２を参照して後述するように、コンテンツ・データ１の具体的な規格名、および、この規格名に応じたコンテンツ・データの属性に関して設定されるパラメータ等が格納される。
残余部１１ｃには、必須ではないデータが割り当てられている。例えば、ファイルの最後を示すデータ、エラー検出用のCRC検査符号がある。CRC検査符号は、コンテンツ・データ・ファイル１１における必須情報要素部１１ａおよびデータ部１１ｂを合わせたものに対して作成されるが、データ部６１ｂのみに対して作成されてもよい。
【００３８】
２次元コードシンボルの作成装置２は、元のコンテンツ・データ１がファイル化されたコンテンツ・データ・ファイル１１から、一部分を切り分けたものを欠落データとし、コンテンツ・データ・ファイル１１から欠落データを除いたものに、利用許諾アクセス用情報１２を付加することにより、分割ファイルを作成する分割ファイル作成手段を有する。図示の例では、上述した欠落データを、必須情報要素部１１ａとした場合を説明している。
欠落データ（必須情報要素部１１ａ）は、２次元コード化コンテンツ・データの利用許諾装置４に格納される。２次元コード化コンテンツ・データの利用許諾装置４とは、図４に示した情報提供センタ４４あるいは情報提供者サーバ４に対応する。
【００３９】
欠落データ（必須情報要素部１１ａ）は、２次元コード化コンテンツ・データの利用装置５が、２次元コード化コンテンツ・データの利用許諾装置４にアクセスしたときに、ダウンロード可能なように格納される。
格納場所、すなわち、欠落データ（必須情報要素部１１ａ）の所在は、２次元コードシンボルの作成装置２が指定するか、２次元コード化コンテンツ・データの利用許諾装置４から通知するなどして、既知であるものとする。利用許諾アクセス用情報１２は、少なくとも、上述した格納場所を指定するデータを有している。
【００４０】
２次元コードシンボルの作成装置２は、また、分割ファイル作成手段により作成された分割ファイルのデータを２次元コード化規則に従って符号化する２次元コード化手段を有する。この２次元コード化手段により符号化された１または複数の２次元コードシンボル１３ａ，１３ｂ，１３ｃは、図示を省略した印刷装置によって、印刷記録媒体３に印刷される。２次元コードシンボル１３ａ，１３ｂ，１３ｃは、２次元コード化された段階では、まだデータであり、印刷されることにより可視化される。
２次元コードシンボル１３ａは、印刷記録媒体３上の所定位置、例えば、一連の２次元コードシンボルの最初の位置に印刷される。
【００４１】
図示の例では、利用許諾アクセス用情報１２のみを単独で２次元コード化することにより、２次元コードシンボル１３ａが印刷されている。データ部１１ｂと残余部１１ｃとを合わせた分割ファイルのデータは、２次元コード化されて、２次元コードシンボル１３ｂ，１３ｃとして印刷されている。
分割ファイルのデータ量が、１つの２次元コードシンボルで表示できるデータ量を超えれば、複数の２次元コードシンボルが用いられる。
QRコード(TM)では、１つのメッセージ（図示の例では、データ部１１ｂと残余部１１ｃとを合わせたもの）を最大１６個の２次元コードシンボルを用いて表示できる。このような場合を、連結（structured append）という。各２次元コードシンボル内のヘッダブロックには、連結モードであることを示す指示子と、シンボル列指示子（連結構造におけるｎシンボル中のｍ番目であることを示す）が含まれている。
【００４２】
一般に、利用許諾アクセス用情報１２のデータ量は小さい。このような場合、２次元コードシンボル１３ａは、空きの部分が埋め草コード語（pad codeword）で埋められることにより、２次元コードシンボル１３ｂ，１３ｃのデータ容量と一致させる。
２次元コードシンボル１３ａは、その表示面積を小さくする等により、他の２次元コードシンボル１３ｂ，１３ｃに比べてデータ容量を小さくしたり、１次元コード、いわゆるバーコードで表示するようにしたりすることができる。
上述した説明では、データ部１１ｂと残余部１１ｃとを合わせたものからなるメッセージのみについて、そのデータ容量が大きくなった場合に連結モードとしている。
【００４３】
これに代えて、利用許諾アクセス用情報１２のみが表示される２次元コードシンボル１３ａを含めて連結モードとしてもよい。連結モードとすれば、後述する２次元コード化コンテンツ・データの利用装置５において、アクセス以降の処理を自動化することができる。
あるいは、分割ファイル全体（利用許諾アクセス用情報１２とデータ部１１ｂと残余部１１ｃとを合わせたものからなる）を１つのメッセージとして２次元符号化してもよい。この場合、１つの２次元コードシンボルだけでは容量が不足する場合に連結モードとする。最初に説明した場合における、２次元コードシンボル１３ａに埋め草コード語を埋めた領域は有効に使用される。
この他、利用許諾アクセス用情報１２は２次元コードシンボルやバーコードでは印刷しないでおき、ユーザが手入力してもよい。この場合、印刷記録媒体３には、文字で利用許諾アクセス情報を印刷しておくとよい。
【００４４】
印刷記録媒体３は、２次元コード化コンテンツ・データの利用装置５に提供される。
２次元コード化コンテンツ・データの利用装置５は、印刷記録媒体３に印刷された１または複数の２次元コードシンボル１３ａ，１３ｂ，１３ｃを読み取る読み取り手段（図５に示したデジタル・カメラ部５８）と、読み取られた１または複数の２次元コードシンボル１３ａ，１３ｂ，１３ｃ，…を復号し、分割ファイルのデータを得る復号化手段と、通信回線６を介して２次元コード化コンテンツ・データの利用許諾装置４にアクセスし、この２次元コード化コンテンツ・データの利用許諾装置４から、欠落データを取得する欠落データ取得手段と、この欠落データ取得手段により取得された欠落データ、および、復号化手段により得られた分割ファイルのデータに基づいて、コンテンツ・データ・ファイル１１を復元することにより、元のコンテンツ・データ１を利用可能な状態にするコンテンツ・データ取得手段を有する。
図５に示した移動機４１において、上述した復号化手段，欠落データ取得手段，コンテンツ・データ取得手段の各機能は、制御部５６内のCPUがメモリ（ROM/RAM）に記憶された制御プログラムに従って実行することができる。
【００４５】
２次元コードシンボル１３ｂ，１３ｃ，…を読み取って復号化するだけでは、必須情報要素部１１ａが欠落し、データの羅列にすぎない未完成なものが得られるだけであるから、元のコンテンツ・データ１を利用することができない。
そこで、２次元コード化コンテンツ・データの利用装置５は、２次元コードシンボル１３ａを読み込み、復号化して得られた利用許諾アクセス用情報１２を用いて、２次元コード化コンテンツ・データの利用許諾装置４と通信回線６を介して通信し、ユーザ認証およびまたは課金登録等を行うことにより利用許諾を受け、欠落データであった必須情報要素部１１ａをダウンロードし、必須情報要素部１１ａにデータ部１１ｂおよび残余部１１ｃを結合させることにより、コンテンツ・データ・ファイル１１を完成させる。
その結果、利用許諾を受ければ著作権保護されたコンテンツ・データ１を利用できるが、利用許諾を受けない限り、コンテンツ・データ１を利用することができない仕組みとなっている。
必須情報要素部１１ａはデータ部１１ｂに比べてデータ量が小さいから、通信回線を介してダウンロードしても通信時間はわずかである。そのため、通信コストはほとんどかからない。
【００４６】
一方、２次元コード化コンテンツ・データの利用許諾装置４は、コンテンツ・データ１に対する課金登録を行う。課金登録が完了すれば、コンテンツ・データ・ファイル１１のうち、分割ファイル（図１の例では、利用許諾アクセス用情報１２，データ部１１ｂ，および，残余部１１ｃ）には含まれていない欠落データ（図１の例では必須情報要素部１１ａ）を、２次元コード化コンテンツ・データの利用装置５にダウンロードする。
課金をすることなく、単にユーザが２次元コード化コンテンツ・データの利用許諾装置４にメンバー登録したり、予めメンバー登録されたユーザ、あるいは、携帯電話加入者であることを認証（ユーザ認証）したりしたときに、利用許諾をしてもよい。
２次元コード化コンテンツ・データの利用許諾装置４にアクセスされた際に、広告情報を受信させ、ディスプレイの画面に表示させて、ユーザが広告を見ることを条件として、必須情報要素部１１ａをダウンロードさせることにより、課金を行わない利用許諾をしてもよい。
また、プリペイドカードの番号などを２次元コード化コンテンツ・データの利用許諾装置４に送信することにより、ユーザ認証をしないで課金登録を行い、利用許諾をしてもよい。
上述した実施の形態によれば、携帯電話端末等からサーバ等にアクセスすることにより、利用許諾が行われるので、著作権を有する２次元コード化コンテンツ・データの利用に対するユーザ認証や課金登録システムを構築することができる。
【００４７】
図２は、図１に示したコンテンツ・データ・ファイルを具体的に説明するためのファイル構成図である。
図２（ａ）は図１に示した標準モデルである。
図２（ｂ）はPNGファイルである。
PNG（Portable Network Graphics）ファイルは、モノクロあるいはカラーの静止画像を転送するためのものであり、W3C（World Wide Web Consortium）によって公開されている。
ファイルの先頭８バイトに記述されているシグネチャ・チャンク（Chunk）とは、PNGファイルであることを識別するためのものである。シグネチャ・チャンクに続いて複数のチャンクが、ほぼ決まった順序で並んでいる。各チャンクは、データ長、チャンクタイプ、チャンクデータ、CRC（Cyclic Redundancy Check）コードからなる。チャンクには、決定的チャンク（Critical chunk）と任意である付随的チャンク（Ancillary chunk）とがある。先に説明したシグネチャ・チャンクも決定的チャンクである。
【００４８】
シグネチャ・チャンクに続くIHDR（Image Header chunk）とは、決定的チャンクに属し、イメージ表示に必要なデータである、例えば、イメージの横幅，縦幅、色深度、カラー・タイプ、圧縮方式、フィルタ方式、インターレース方式を指定する情報が含まれているチャンクである。
次のIDAT（Image DATa chunk）とは、決定的チャンクに属し、実際のイメージデータ（ビットマップデータ）が、指定されたインターレース方式に従って配列され、指定されたフィルタリングがなされ、指定された方式で圧縮されたデータが含まれているチャンクである。
最後にあるIEND（Image trailer chunk）は、PNGファイルの終了を表すチャンクである。
【００４９】
上述したPNGファイルにおいて、必須情報要素部１１ａに該当するのは、シグネチャ・チャンクおよびIHDRチャンクである。シグネチャ・チャンクがなければコンテンツの種類がわからないからである。IHDRチャンクがなければ元の静止画像データが利用できないからである。
データ部１１ｂに該当するのはIDATチャンク、残余部１１ｃに該当するのはIENDチャンクである。他にも付随的チャンクがある場合には、残余部１１ｃに該当する。
【００５０】
図２（ｃ）はJPEGファイルである。
JPEG（Joint Photographic Experts Group）ファイルは、JPEG圧縮技法を用いて写真画像を不可逆圧縮して転送あるいは保存するためのものであって、通常は、JFIF（JPEG File Interchange Format）を指す。
JPEGファイルは、セグメントと呼ばれるデータ単位からなる。各セグメントは、典型的には、マーカ識別子、セグメントを特定するマーカ、フィールドの長さ、フィールドを有する。
SOI(Start Of Image)セグメントとは、圧縮データの先頭マーカのセグメントである。
次のAPPn（Reserved for APPlication segments n）セグメントは、オプションのセグメントであって、JPEGの上位アプリケーションにとって必要な情報をJPEGファイル内に埋め込むために使用される。
DQT（Define Quantization Table）セグメントとは、量子化テーブルの実態を定義するものであって、YCbCrスペクトルデータの量子化因子を定義する。
【００５１】
DHT（Define Huffman table segment）セグメントとは、ハフマン符号化テーブルの実態を定義するものである。
DRI（Define Restart Interval）セグメントとは、オプションセグメントであって、リスタートマーカ（これもオプションンセグメントである）の挿入間隔を定義するものである。
SOF（Start Of Frame）セグメントとは、フレームセグメントの始まりに位置し、そのフレームに関して、DCT（離散コサイン変換）データをハフマン符号化する際の各種パラメータを示すものである。
SOS（Start of Scan）とは、スキャンに関する各種パラメータを表すものである。
圧縮データは、ハフマンコードで圧縮されたイメージデータである。
EOI（End Of Image segment）はファイルの終了を表すセグメントである。
上述したJPEGファイルにおいて、必須情報要素部１１ａに該当するのは、SOIセグメント、DQTセグメント、DHTセグメント、SOFセグメント、SOSセグメントである。
また、データ部１１ｂに該当するのは圧縮データ、残余部１１ｃに該当するのはAPPnセグメント、DRIセグメント、EOIセグメントである。
【００５２】
図２（ｄ）はSMAFファイル（Version 3.06）である。
SMAF（Synthetic music Mobile Application Format）ファイルは、ヤマハ株式会社が提唱している、携帯端末用の同期再生マルチメディア・コンテンツを表すフォーマット仕様である。
データは１つ以上のシーケンス・データ（出力デバイスに対する制御を時間を追って定義したデータ表現）を束ねた形式となっており、各シーケンス・データは再生デバイス（音源デバイス，PCM音源デバイス，表示デバイス）に対応するものと、対応しないもの（マスター・トラック・チャンクのシーケンス・データ）がある。全てのシーケンスは、時間軸を共有し時間的に同期して再生される。
【００５３】
基本構造はチャンクであり、チャンクの内部構造は、チャンク・ヘッダ（Chunk Header）部と可変長のボディ（Body）部とからなる。SMAFファイル全体を表すチャンクをファイルチャンク（File Chunk）と呼び、そのボディ部にチャンク列が配列され、最後に２バイトのCRC検査符号が付加されている。
チャンク列の先頭はコンテンツ・インフォ・チャンク（Contents Info Chunk）であり、次に、オプショナル・データ・チャンク（Optional Data Chunk）、その後に１つ以上のトラック・チャンク（Track Chunk）が続く。
【００５４】
コンテンツ・インフォ・チャンクには、SMAFファイルの管理用情報が割り当てられている。コンテンツ・クラス（ベンダーID）、コンテンツ・タイプ（着信メロディ，カラオケ等）、コンテンツ・コード・タイプ（文字コード体系）を格納する。
さらに、コピー・ステータス（転送，保存，編集それぞれについての可不可）、コピー・カウント（コピー回数）、オプション（ジャンル名，曲名，アーティスト名，作詞／作曲者等）が含まれる場合がある。
オプショナル・データ・チャンクには、ジャンル名，曲名，アーティスト名，作詞／作曲者、絵の創作者、テキストの著作権者、コンテンツ全体の編集者等、著作権情報が格納される。
【００５５】
トラック・チャンク（Track Chunk）には、１以上のスコア・トラック・チャンク（Score Track Chunk）、１以上のPCMオーディオ・トラック・チャンク（PCM Audio Track Chunk）、１以上のグラフィックス・トラック・チャンク（Graphics Track Chunk）、マスター・トラック・チャンク（Master Track Chunk）がある。
スコア・トラック・チャンクは、音源を再生するためのシーケンス・データを格納する。
PCMオーディオ・トラック・チャンクは、PCM系オーディオ（ADPCMやMP3など）発音をイベント形式で格納する。
グラフィックス・トラック・チャンクは、背景画や差込静止画とテキストデータと、これらを再生するためのシーケンス・データを格納する。
マスター・トラック・チャンクは、スコア・トラックなどの再生シーケンスに同期した音楽情報シーケンスや、SMAF再生系を制御するためのシーケンス・データを格納する。
【００５６】
上述したSMAFファイルにおいて、必須情報要素部１１ａに該当するのは、チャンク・ヘッダ，コンテンツ・インフォ・チャンク，オプショナル・データ・チャンクである。
また、データ部１１ｂに該当するのはスコア・トラック・チャンク，PCMオーディオ・トラック・チャンク，グラフィックス・トラック・チャンク，マスター・トラック・チャンクである。残余部１１ｃに該当するのはCRC誤り検査用符号である。
【００５７】
再び、図１に戻って説明を補足する。図１を参照した説明では、コンテンツ・データ・ファイル１１から必須情報要素部１１ａのみを切り出した。
しかし、データ部１１ｂの一部、およびまたは、残余部１１ｃの一部または全部を、必須情報要素部１１ａとともに切り出して欠落データとすることにより、分割ファイルを作成してもよい。図１に示した必須情報要素部１１ａに代えて、切り出された部分が２次元コード化コンテンツ・データの利用許諾装置４に格納され、２次元コード化コンテンツ・データの利用装置５にダウンロードされる欠落データとなる。
【００５８】
この構成によれば、コンテンツ・データ・ファイル１１から、「データ部１１ｂの一部」、およびまたは、「残余部１１ｃの一部または全部」、を除去し、場合により利用許諾アクセス用情報１２を加えて作成された分割ファイルのデータが、２次元コード化されて２次元コードシンボル１３ｂ、１３ｃとして印刷される。
その結果、２次元コード化コンテンツ・データの利用装置５は、元のコンテンツ・データ１を不正に利用すること、すなわち、これら２次元コードシンボルを読み取ることにより得られた分割ファイルのデータを用いて、欠落データを取得せずに元のコンテンツ・データ１を利用する、ということがさらに困難となる。
【００５９】
また、コンテンツ・データ・ファイル１１から、必須情報要素部１１ａの全てを切り出すのではなく、必須情報要素部１１ａの一部のみを切り出して、切り出された部分を２次元コード化コンテンツ・データの利用許諾装置４に格納し、２次元コード化コンテンツ・データの利用装置５にダウンロードされるデータとしてもよい。この場合、必須情報要素部１１ａの残りの部分は、分割ファイルに格納される。
この構成によれば、２次元コード化コンテンツ・データの利用装置５によってダウンロードされる欠落データのデータ量は、全てを切り出すよりもさらに小さくなる。よって、利用装置５が欠落データを取得する際に必要となる通信コストがさらに抑えられる。
【００６０】
また、逆に、コンテンツ・データ・ファイル１１から、必須情報要素部１１ａは切り出さずにおくか一部のみを切り出すとともに、データ部１１ｂの一部を切り出してもよい。切り出されずに残った部分は、分割ファイルに格納される。この場合は、データ部１１ｂの残った部分については復元されて利用されてしまう場合があり得る。しかし、このような場合でも、コンテンツ・データ１の全体が利用されてしまうわけではないので、利用許諾なしでも許容できる場合がある。
例えば、上述したSMAFファイルを用いて、スピーカ５４を鳴らす音楽（第１の物理表現形態）と表示部５７に表示される画像（第２の物理表現形態）とが同期して再生されるようなコンテンツ・データ１の場合に、分割ファイルには、いずれか一方のデータだけを格納しておき、２次元コード化コンテンツ・データの利用許諾装置４にアクセスして許諾を受ければ、音楽と画像とが同時に再生されるような利用許諾システムが可能である。
【００６１】
図３は、本発明の実施の一形態における動作を説明するためのフローチャートである。
図３（ａ）は２次元コードシンボルの作成装置２において実行される動作の一例を説明するフローチャートである。汎用のパーソナルコンピュータに専用のアプリケーションプログラムを実行させることにより実現できる。
Ｓ２１において、コンテンツ・データ・ファイル１１を取り込む。Ｓ２２において、ファイル拡張子によってコンテンツ種別を検出する。
例えば、静止画像であれば、ビットマップ（BMP）ファイル，PNGファイル，JPEGファイル等がある。この２次元コード化コンテンツ・データの利用許諾システムにおいて許容されないフォーマットであれば、ファイル形式の変換を行う。例えば、ビットマップファイルをPNGファイルあるいはJPEGファイルに変換する。
Ｓ２３において、必須情報要素１１ａをファイルから切り分けてメモリに記憶する。
Ｓ２４において、必須情報要素１１ａを除いたもの、および、利用許諾アクセス用情報１２を、それぞれ、２次元コードシンボルの元データ（分割ファイル）としてメモリに記憶する。
【００６２】
Ｓ２５において、上述した元データのそれぞれのバイト数を算出する。
Ｓ２６において、２次元コードシンボルの各種パラメータを設定する。例えば、コード種類、誤り訂正レベル、コード領域、セルサイズ、ドット/セル、分割数等を設定する。
コード種類として、１または複数種類の１次元コード（バーコード）、１または複数種類の２次元コードを使用可能とする場合は、これらの中から、１つを選択する。以下、QRコード（TM）を選択した場合を例示する。
QRコード(TM)化する際に誤り訂正符号化される。誤り訂正レベルとは、訂正能力を表す。コード領域とは、QRコード（TM）の１シンボルの大きさに周辺マージンを加味した正方形領域の辺の長さである。セルサイズとは、QRコード(TM)シンボルの最小単位の白または黒の正方形領域に含まれるプリンタ・ヘッドのドット数である。分割数とは、QRコード（TM）を何シンボル用いて元データを表示するかを指定する値である。
【００６３】
Ｓ２７において、Ｓ２５，Ｓ２６における設定条件を満足する２次元コードシンボルを、ビットマップ（BMP）またはメタファイル（WMF）データとして作成する。
Ｓ２８においては、作成されたデータを、その他の原稿、図版とともに電子編集してパーソナルコンピュータに接続されたプリンタで版下を作成する。
Ｓ２９においては、作成された版下を用いて製版し、印刷機が紙に印刷する。版下を作成することなく、印刷した紙をユーザに配布してもよい。
【００６４】
図３（ｂ）は２次元コード化コンテンツ・データの利用装置５の動作の一例を説明するフローチャートである。
Ｓ３１において、紙に印刷表示された２次元コードシンボルをデジタル・カメラで接写して読み取り、２次元コードシンボルを復号化する。
QRコード(TM)の場合は、複数の２次元コードシンボルを読み取る順番には関係なく、全てを読み取った後に、連結構造を示すシンボル列指示子により順序付けられる。２次元コードシンボル一般に関しては、ユーザの操作によって１つずつ所定の順番で読み取るようにして、１つを読み取る毎に、次の読み取りを指示する案内が図５の表示部５７に表示されてもよい。
【００６５】
Ｓ３２において、２次元コードシンボルにより提供されているコンテンツの利用許諾処理に進むか否かの問いを、表示部５７に表示させて、ユーザに判断を促す。
ユーザがキー入力部５９を操作して、利用許諾処理に進むことを選択したときには、Ｓ３３に処理を進める。利用許諾処理に進まないときには、未完成のデータを保持したまま一連の処理を終了する。未完成のデータは、次に利用許諾処理をしようとするときに、Ｓ３１のステップを実行することなくＳ３２に進めるために保存しておく。あるいは、一連の処理を終了するときに、未完成のデータを消去する。
【００６６】
Ｓ３３において、１つ目の２次元コードシンボル１３ａの読み取りデータに基づいて必須情報要素１１ａの所在を示す利用許諾アクセス用情報を取得する。
例えば、インターネット上の「オブジェクト」の場所を示すための表記方法であるURI（Uniform Resource Identifiers）あるいはURL（Uniform Resource Locators）を取得し、このURIあるいはURLを伴うHTTP（Hypertext Transfer Protocol） Requestを送信し、図４に示したコンテンツ・データベース４７内に所在する各コンテンツ・データ１の必須情報要素部１１ａにアクセスする。あるいは、情報提供者サーバ４８内のデータベースに所在する各コンテンツ・データ１の必須情報要素部１１ａにアクセスする。
【００６７】
Ｓ３４においては、ユーザ認証および課金登録をする。情報提供センタ４４では、アクセスしてきた移動機(MS)４１の端末識別情報等を引数として登録ユーザ・データベース４５を参照するなどしてユーザ認証を行い、このユーザに対して課金登録をする。
インターネット４７上の情報提供者サーバ４８内のデータベースにアクセスした場合には、情報提供者サーバ４８がユーザ認証と課金登録を行う。
なお、利用許諾条件の設定は任意である。また、ユーザ認証および課金登録には種々の方法があり、上述した例に限られるものではない。課金サーバが介在する場合もある。
【００６８】
Ｓ３５において、２次元コード化コンテンツ・データの利用装置５は、情報提供センタ（AMP）４４、あるいは、情報提供者サーバ４８から必須情報要素１１ａをダウンロードする。
Ｓ３６においては、必須情報要素部１１ａとデータ部１１ｂ，残余部１１ｃとを結合することにより、コンテンツ・データ・ファイル１１を再構築する。
Ｓ３７において、コンテンツ・データ・ファイル１１を移動機(MS)４１にメニュー登録して、コンテンツ・データ１をいつでも利用可能なようにする。あるいは、ダウンロード後、直ちに、コンテンツ・データ１が利用されるようになり、静止画像が表示部５７に表示されたり、音楽がスピーカ５４から流されるようにしたりしてもよい。あるいは、外部インターフェース６１を介して、パーソナルコンピュータ等の外部装置にコンテンツ・データ１を転送するようにしてもよい。
【００６９】
（実施の形態２）
この実施の形態２では、コンテンツ・データ・ファイルを作成することなく、コンテンツ・データから直接的に同様の分割ファイルを作成する。
既に説明した実施の形態１では、図１に示したように、まず、コンテンツ・データ１をファイル化することによりコンテンツ・データ・ファイル１１を作成する。その後、このコンテンツ・データ・ファイル１１から必須情報要素部１１ａを切り出した（切り分けた）ものに利用許諾アクセス用情報１２を付加することにより、分割ファイルを作成していた。しかし、２次元コードシンボルの作成装置２においては、分割ファイルと利用許諾アクセス用情報１２が得られればよい。コンテンツ・データ・ファイル１１の作成という手順を踏むことは必須でない。
図６は、本発明の実施の形態２に係る分割ファイルの作成手順を示す模式図である。なお、図６中、図２に示したものと同様な部分については、図２におけるものと同一の符号を付して、詳しい説明を省略する。
【００７０】
コンテンツ・データ・ファイル１１のフォーマットは標準規格あるいは独自規格により予め決まっている。すなわち、図２（ａ）の例では、必須情報要素部１１ａ，データ部１１ｂ，残余部１１ｃがあり、それぞれにどのようなデータが格納されるかが予め決められている。
従って、元のコンテンツ・データがファイル化されたとしたときのデータ（コンテンツ・データ・ファイル１１）の一部分に相当するデータ（必須情報要素部１１ａ）（欠落データという）を、コンテンツ・データ・ファイル１１を実際に作成することなく、コンテンツ・データ・ファイル１１とは独立したデータとして作成する。
同様に、元のコンテンツ・データがファイル化されたとしたときのデータ（コンテンツ・データ・ファイル１１）から上述した欠落データを除いたものに相当するデータ（データ部１１ｂおよび残余部１１ｃ）に基づいて、元のコンテンツ・データがファイル化されたとしたときのデータ（コンテンツ・データ・ファイル１１）を実際に作成することなく、分割ファイル７１を作成する。
【００７１】
図２を参照して、具体的に説明すると、コンテンツ・データ１の情報内容に直接的に対応するデータ、例えば、元のコンテンツ・データそのもの、あるいは、データ圧縮等の処理がなされた後のデータが、データ部１１ｂ（図２（ｂ）におけるＩＤＡＴや図２（ｃ）における圧縮データ等）となる。
残余部１１ｃには、実施の形態１と同様に、必須ではないデータ、例えば、ファイルの最後を示すデータやエラー検出用のＣＲＣ検査符号等、が格納される。なお、ＣＲＣ検査符号については、データ部１１ｂのみに対して作成した方が処理を簡単にすることができる。
この後、データ部１１ｂおよび残余部１１ｃに、場合により、利用許諾アクセス用情報１２を付加することにより、分割ファイル７１が作成される。
一方、必須情報要素部１１ａには、実施の形態１と同様に、コンテンツ・データ１を利用するために必要なデータが格納される。すなわち、必須情報要素部１１ａには、データ部１１ｂのデータに対応したデータ（図２において斜線を付加した部分に示すデータ）が格納される。
作成された分割ファイル７１は、実施の形態１で説明したものと同様に、符号化及び印刷がなされる。必須情報要素部１１ａは、実施の形態１で説明したものと同様に、２次元コード化コンテンツ・データの利用許諾装置４に格納される。
【００７２】
他方、２次元コード化コンテンツ・データの利用装置５は、実施の形態１で説明したものと同様に、読み取った１以上の２次元コードシンボルを復号し、「データ部１１ｂ、残余部１１ｃおよび利用許諾アクセス用情報１２」（分割ファイル７１）を取得し、必須情報要素部１１ａをダウンロードする。この後、この利用装置５は、分割ファイル７１のデータ部１１ｂおよび残余部１１ｃと必須情報要素部１１ａとを結合することにより、元のコンテンツ・データがファイル化されたデータ（利用装置５により利用可能な形式のファイル、すなわち、実施の形態１で説明したコンテンツ・データ・ファイル１１、図１参照）を得る、すなわち、完成させることができる。
【００７３】
なお、実施の形態１と同様に、次のような変形例が可能である。
必須情報要素部１１ａとともに、「データ部１１ｂの一部」、およびまたは、「残余部１１ｃの一部または全部」のデータを欠落データとして、２次元コード化コンテンツ・データの利用許諾装置４に格納し、２次元コード化コンテンツ・データの利用装置５にダウンロードされるデータとしてもよい。  欠落データとならずに残った部分は、分割ファイルに格納される。
また、必須情報要素部１１ａの一部のみを欠落データとして、２次元コード化コンテンツ・データの利用許諾装置４に格納し、２次元コード化コンテンツ・データの利用装置５にダウンロードされるデータとしてもよい。欠落データとならずに残った部分は、分割ファイルに格納される。
また、逆に、コンテンツ・データ・ファイル１１の必須情報要素部１１ａは用いずにおくか一部のみを用いるとともに、データ部１１ｂの一部を用いて、欠落データとして２次元コード化コンテンツ・データの利用許諾装置４に格納してもよい。欠落データとならずに残った部分は、分割ファイルに格納される。
【００７４】
上述した説明では、２次元コード化コンテンツ・データの利用装置５の一例としてデジタル・カメラ付きの移動機(MS)４１を用いた場合について説明したが、デジタル・カメラを用いる代わりに、移動機(MS)４１に付けたスキャナ装置を用いて２次元コードシンボル１３ａ，１３ｂ，１３ｃ，…を読み取るものであってもよいし、外部インターフェース６１に接続されたパーソナルコンピュータ側において読み取られた２次元コードシンボル１３ａ，１３ｂ，１３ｃ，…の読み取りデータが、移動機(MS)４１に転送されるものであってもよい。
また、移動機４１に代えて、携帯電話ネットワークに接続されたPDA（Personal Digital Assistant）などの端末装置であってもよい。有線の通信ネットワークを介し、２次元コード化コンテンツ・データの利用許諾装置５としてのサーバにアクセスされるパーソナルコンピュータであってもよい。
【００７５】
上述した説明では、本発明の２次元コードシンボルの作成装置２の実施の一形態として、汎用のパーソナルコンピュータを用いた場合を例示した。しかし、２次元コードシンボル作成専用の装置でもよく、また、移動機４１や端末装置等に２次元コードシンボルの作成機能を持たせてもよい。
図５に示した移動機４１に持たせた場合について説明する。移動機４１のデジタル・カメラ部５８で撮影した画像のPNGファイル、その他、携帯電話ネットワークからダウンロードしたり、外部インターフェース６１等から入力したりしたコンテンツ・データ・ファイルに対し、本発明に係る２次元コードシンボルの作成機能を実行する。作成された２次元コードシンボル（データ）を、携帯電話ネットワークを経由したり、外部インターフェース６１等を介したりして、印刷機に供給して印刷記録媒体に印刷させることができる。
この場合、移動機４１は、欠落データのない従来通りの２次元コードシンボル（データ）も作成できるようにする。また、２次元コードシンボルを、自身の表示部５７に可視表示できるようにする。
【００７６】
上述した説明では、無線回線６を介してアクセスされる２次元コード化コンテンツ・データの利用許諾装置５により利用許諾を受け、必須情報要素部１１ａ等の欠落データをダウンロードするシステムについて説明した。
これに代えて、欠落データを２次元コード化して得られる２次元コードシンボルが印刷されたラベルシートなどの印刷記録媒体を、利用許諾を得ることにより取得して、この２次元コードシンボルもデジタル・カメラで読み取って復号化し、欠落データと分割ファイルのデータに基づいて、コンテンツ・データ・ファイル１１を再構築し、コンテンツ・データ１を利用できるようにするシステムも考えられる。
【図面の簡単な説明】
【００７７】
【図１】本発明の実施の形態１を実現する２次元コード化コンテンツ・データの利用許諾システムの全体構成図である。
【図２】図１に示したコンテンツ・データ・ファイルを具体的に説明するためのファイル構成図である。
【図３】本発明の実施の一形態における動作を説明するためのフローチャートである。
【図４】携帯電話ネットワークを用いた従来のコンテンツ配信システムの一例を説明するためのブロック構成図である。
【図５】移動機のハードウエア構成の一例を説明するためのブロック構成図である。
【図６】本発明の実施の形態２に係る分割ファイルの作成手順を示す模式図である。
【符号の説明】
【００７８】
１…コンテンツ・データ、２…２次元コードシンボルの作成装置、３…印刷記録媒体、４…２次元コード化コンテンツ・データの利用許諾装置、５…２次元コード化コンテンツ・データの利用装置、１１…コンテンツ・データ・ファイル、１１ａ…必須情報要素部、１１ｂ…データ部，１１ｃ…残余部、１２…利用許諾アクセス用情報、１３ａ，１３ｂ，１３ｃ…２次元コードシンボル、７１…分割ファイル
【図１】
2004246883.tif 000003
【図２】
2004246883.tif 000004
【図３】
2004246883.tif 000005
【図４】
2004246883.tif 000006
【図５】
2004246883.tif 000007
【図６】
2004246883.tif 000008